(57)【要約】【課題】表示品位の改善が可能な表示装置を提供する。【解決手段】第１遮光部と、前記第１遮光部より小さい第２遮光部と、前記第１遮光部より大きい第３遮光部と、を備えた表示装置であって、前記第１遮光部は、前記第１開口部に隣接する第１部分と、前記第２開口部に隣接する第２部分とを備え、前記第２部分は前記第１部分より大きな面積を有し、前記第２遮光部は、前記第３開口部に隣接する第３部分と、前記第４開口部に隣接する第４部分とを備え、前記第３部分は前記第１部分と同等の面積を有し、前記第４部分は前記第２部分より小さい面積を有し、前記第３遮光部は、前記第５開口部に隣接する第５部分と、前記第６開口部に隣接する第６部分とを備え、前記第５部分は前記第１部分より大きい面積を有し、前記第６部分は前記第２部分と同等の面積を有する、表示装置。【選択図】      図４
2018180087.tif 000002
【特許請求の範囲】
【請求項１】
第１色の第１開口部、第３開口部、及び、第５開口部と、第１色とは異なる第２色の第２開口部、第４開口部、及び、第６開口部と、第１遮光部と、前記第１遮光部より小さい第２遮光部と、前記第１遮光部より大きい第３遮光部と、を備えた表示装置であって、
前記第１遮光部は、前記第１開口部及び前記第２開口部に隣接し、前記第１開口部は前記第２開口部より大きな面積を有し、
前記第２遮光部は、前記第３開口部及び前記第４開口部に隣接し、前記第３開口部及び前記第４開口部は前記第１開口部と同等の面積を有し、
前記第３遮光部は、前記第５開口部及び前記第６開口部に隣接し、前記第５開口部及び前記第６開口部は前記第２開口部と同等の面積を有する、表示装置。
【請求項２】
前記第２遮光部は第１半径の円形状に形成され、前記第３遮光部は前記第１半径より大きい第２半径の円形状に形成されている、請求項１に記載の表示装置。
【請求項３】
さらに、第１基板と、前記第１基板に対向する第２基板と、前記第１基板と前記第２基板との間に位置する第１乃至第３スペーサとを備え、
前記第１スペーサ及び前記第２スペーサは、前記第１基板から離間し且つ前記第２基板に接触し、
前記第３スペーサは、前記第１基板及び前記第２基板に接触し、
平面視で、前記第１スペーサは前記第１遮光部と重なり、前記第２スペーサは前記第２遮光部と重なり、前記第３スペーサは前記第３遮光部と重なっている、請求項１または２に記載の表示装置。
【請求項４】
前記第１色は赤色または青色であり、前記第２色は緑色である、請求項１乃至３のいずれか１項に記載の表示装置。
【請求項５】
隣り合う第１開口部及び第２開口部と、隣り合う第３開口部及び第４開口部と、隣り合う第５開口部及び第６開口部と、第１遮光部と、前記第１遮光部より小さい第２遮光部と、前記第１遮光部より大きい第３遮光部と、を備えた表示装置であって、
前記第１遮光部は、前記第１開口部に隣接する第１部分と、前記第２開口部に隣接する第２部分とを備え、前記第２部分は前記第１部分より大きな面積を有し、
前記第２遮光部は、前記第３開口部に隣接する第３部分と、前記第４開口部に隣接する第４部分とを備え、前記第３部分は前記第１部分と同等の面積を有し、前記第４部分は前記第２部分より小さい面積を有し、
前記第３遮光部は、前記第５開口部に隣接する第５部分と、前記第６開口部に隣接する第６部分とを備え、前記第５部分は前記第１部分より大きい面積を有し、前記第６部分は前記第２部分と同等の面積を有する、表示装置。
【請求項６】
さらに、前記第１開口部、前記第３開口部、及び、前記第５開口部にそれぞれ配置された第１色の第１カラーフィルタと、
前記第２開口部、前記第４開口部、及び、前記第６開口部にそれぞれ配置された第２色の第２カラーフィルタと、を備え、
前記第１色及び前記第２色は、互いに異なる色である、請求項５に記載の表示装置。
【請求項７】
さらに、隣り合う第７開口部及び第８開口部を備え、
前記第１遮光部は、さらに、前記第７開口部に隣接する第７部分と、前記第８開口部に隣接する第８部分とを備え、前記第８部分は前記第７部分より大きな面積を有している、請求項５に記載の表示装置。
【請求項８】
さらに、前記第１開口部及び前記第７開口部にそれぞれ配置された第１色の第１カラーフィルタと、
前記第２開口部及び前記第８開口部にそれぞれ配置された第２色の第２カラーフィルタと、を備え、
前記第１色及び前記第２色は、互いに異なる色である、請求項７に記載の表示装置。
【請求項９】
さらに、隣り合う第７開口部及び第８開口部を備え、
前記第１遮光部は、さらに、前記第７開口部に隣接する第７部分と、前記第８開口部に隣接する第８部分とを備え、前記第７部分及び前記第８部分は前記第２部分より小さな面積を有している、請求項５に記載の表示装置。
【請求項１０】
さらに、前記第１開口部に配置された第１色の第１カラーフィルタと、
前記第２開口部に配置された第２色の第２カラーフィルタと、
前記第７開口部に配置された第３色の第３カラーフィルタと、を備え、
前記第１色、前記第２色、及び、前記第３色は、互いに異なる色である、請求項９に記載の表示装置。
【請求項１１】
さらに、前記第１遮光部と同一形状且つ同一面積を有する第４遮光部を備え、
前記第１遮光部、前記第３遮光部、及び、前記第４遮光部は、同一直線上に位置し、
前記第１遮光部と前記第３遮光部との距離は、前記第３遮光部と前記第４遮光部との距離と同等である、請求項１乃至１０のいずれか１項に記載の表示装置。
【請求項１２】
さらに、前記第３遮光部と同一形状且つ同一面積を有する第５遮光部を備え、
前記第３遮光部と前記第５遮光部との距離は、前記第１遮光部と前記第３遮光部との距離より大きい、請求項１乃至１１のいずれか１項に記載の表示装置。
【発明の詳細な説明】
【技術分野】
【０００１】
本発明の実施形態は、表示装置に関する。
【背景技術】
【０００２】
液晶表示装置は、例えば、一対の基板間に所定のギャップを形成するための柱状のスペーサを備えている。スペーサの周囲では、液晶分子の配向不良などに起因して光漏れが生ずるおそれがある。このような光漏れ対策として、例えば、スペーサと重なる遮光層がスペーサと重ならない遮光層よりも大きい面積を有する技術が知られている。また、他の例では、スペーサと重なる拡張部及びスペーサと重ならない拡張部を有する遮光層が配置され、スペーサが配置される画素とスペーサが配置されない画素とで開口率の差を低減する技術も知られている。
【先行技術文献】
【特許文献】
【０００３】
【特許文献１】特開２０１３−７９５５号公報
【特許文献２】特開２０１４−２３８５号公報
【発明の概要】
【発明が解決しようとする課題】
【０００４】
本実施形態の目的は、表示品位の改善が可能な表示装置を提供することにある。
【課題を解決するための手段】
【０００５】
本実施形態によれば、
隣り合う第１開口部及び第２開口部と、隣り合う第３開口部及び第４開口部と、隣り合う第５開口部及び第６開口部と、第１遮光部と、前記第１遮光部より小さい第２遮光部と、前記第１遮光部より大きい第３遮光部と、を備えた表示装置であって、前記第１遮光部は、前記第１開口部に隣接する第１部分と、前記第２開口部に隣接する第２部分とを備え、前記第２部分は前記第１部分より大きな面積を有し、前記第２遮光部は、前記第３開口部に隣接する第３部分と、前記第４開口部に隣接する第４部分とを備え、前記第３部分は前記第１部分と同等の面積を有し、前記第４部分は前記第２部分より小さい面積を有し、前記第３遮光部は、前記第５開口部に隣接する第５部分と、前記第６開口部に隣接する第６部分とを備え、前記第５部分は前記第１部分より大きい面積を有し、前記第６部分は前記第２部分と同等の面積を有する、表示装置が提供される。
【０００６】
本実施形態によれば、
第１色の第１開口部、第３開口部、及び、第５開口部と、第１色とは異なる第２色の第２開口部、第４開口部、及び、第６開口部と、第１遮光部と、前記第１遮光部より小さい第２遮光部と、前記第１遮光部より大きい第３遮光部と、を備えた表示装置であって、前記第１遮光部は、前記第１開口部及び前記第２開口部に隣接し、前記第１開口部は前記第２開口部より大きな面積を有し、前記第２遮光部は、前記第３開口部及び前記第４開口部に隣接し、前記第３開口部及び前記第４開口部は前記第１開口部と同等の面積を有し、前記第３遮光部は、前記第５開口部及び前記第６開口部に隣接し、前記第５開口部及び前記第６開口部は前記第２開口部と同等の面積を有する、表示装置が提供される。
【図面の簡単な説明】
【０００７】
【図１】図１は、本実施形態の表示装置ＤＳＰの構成を示す図である。
【図２】図２は、図１に示した表示パネルＰＮＬの基本構成及び等価回路を示す図である。
【図３】図３は、遮光層ＢＭ、カラーフィルタＣＦ、及び、スペーサＳＰの配置例を示す平面図である。
【図４】図４は、図３に示した各遮光部を拡大した平面図である。
【図５】図５は、表示ムラの視認性の評価方法を模式的に示した図である。
【図６Ａ】図６Ａは、それぞれ表示ムラの視認性の評価結果を示す図である。
【図６Ｂ】図６Ｂは、それぞれ表示ムラの視認性の評価結果を示す図である。
【図７】図７は、図１に示した第１基板ＳＵＢ１を第２基板ＳＵＢ２側から見たときの画素ＰＸの構成例を示す平面図である。
【図８】図８は、図７のＡ−Ｂ線で切断した表示パネルＰＮＬの一部の構造を示す断面図である。
【図９】図９は、図３のＣ−Ｄ線で切断した表示パネルＰＮＬの構成例を示す断面図である。
【図１０】図１０は、図３などに示したメインスペーサＭＳＰを含む表示パネルＰＮＬを第１方向Ｘに沿って切断した構成例を示す断面図である。
【図１１】図１１は、図３などに示したサブスペーサＳＳＰを含む表示パネルＰＮＬを第１方向Ｘに沿って切断した構成例を示す断面図である。
【図１２】図１２は、遮光層ＢＭ、カラーフィルタＣＦ、及び、スペーサＳＰの他の配置例を示す平面図である。
【図１３】図１３は、遮光層ＢＭ、カラーフィルタＣＦ、及び、スペーサＳＰの他の配置例を示す平面図である。
【図１４】図１４は、図１３に示した各遮光部を拡大した平面図である。
【図１５】図１５は、他の遮光部を拡大した平面図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態の表示装置ＤＳＰの構成を示す図である。ここでは、第１方向Ｘ及び第２方向Ｙは互いに交差し、第３方向Ｚは第１方向Ｘ及び第２方向Ｙと交差している。一例では、第１方向Ｘ、第２方向Ｙ、及び、第３方向Ｚは、互いに直交しているが、９０度以外の角度で互いに交差していても良い。本明細書において、第３方向Ｚを示す矢印の先端に向かう方向を上方（あるいは、単に上）と称し、矢印の先端から逆に向かう方向を下方（あるいは、単に下）と称する。また、第３方向Ｚを示す矢印の先端側に表示装置ＤＳＰを観察する観察位置があるものとし、この観察位置から、第１方向Ｘ及び第２方向Ｙによって規定されるＸ−Ｙ平面に向かって見ることを平面視という。
【００１０】
本実施形態においては、表示装置の一例として、液晶表示装置について説明する。なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００１１】
表示装置ＤＳＰは、表示パネルＰＮＬ、表示パネルＰＮＬを駆動する駆動ＩＣチップ１などを備えている。表示パネルＰＮＬは、例えば、液晶表示パネルであり、第１基板ＳＵＢ１と、第２基板ＳＵＢ２と、シール部ＳＥと、液晶層（後述する液晶層ＬＣ）と、を備えている。第２基板ＳＵＢ２は、第１基板ＳＵＢ１に対向している。シール部ＳＥは、第１基板ＳＵＢ１と第２基板ＳＵＢ２とを接着している。表示パネルＰＮＬは、画像を表示する表示領域ＤＡ、及び、表示領域ＤＡを囲む額縁状の非表示領域ＮＤＡを備えている。表示領域ＤＡは、シール部ＳＥによって囲まれた内側に位置している。
【００１２】
駆動ＩＣチップ１は、非表示領域ＮＤＡに位置している。図示した例では、駆動ＩＣチップ１は、第２基板ＳＵＢ２よりも外側に延出した第１基板ＳＵＢ１の実装部ＭＴに実装されている。駆動ＩＣチップ１は、例えば、画像表示に必要な信号を出力するディスプレイドライバを内蔵している。ここでのディスプレイドライバは、後述する信号線駆動回路ＳＤ、走査線駆動回路ＧＤ、及び、共通電極駆動回路ＣＤの少なくとも一部を含むものである。なお、図示した例に限らず、駆動ＩＣチップ１は、別途表示パネルＰＮＬに接続されるフレキシブル基板上に実装されていても良い。
【００１３】
本実施形態の表示パネルＰＮＬは、第１基板ＳＵＢ１の背面側からの光を選択的に透過させることで画像を表示する透過表示機能を備えた透過型、第２基板ＳＵＢ２の前面側からの光を選択的に反射させることで画像を表示する反射表示機能を備えた反射型、あるいは、透過表示機能及び反射表示機能を備えた半透過型のいずれであっても良い。
【００１４】
また、ここでは、表示パネルＰＮＬの詳細な構成については説明を省略するが、表示パネルＰＮＬは、Ｘ−Ｙ平面、あるいは、基板主面に沿った横電界を利用する表示モード、Ｘ−Ｙ平面の法線に沿った縦電界を利用する表示モード、あるいは、Ｘ−Ｙ平面に対して斜め方向に傾斜した傾斜電界を利用する表示モードのいずれを適用した構成を有していても良い。また、表示パネルＰＮＬは、上記の縦電界、横電界、及び、傾斜電界を適宜組み合わせて利用する表示モードに対応した構成を有していても良い。
【００１５】
図２は、図１に示した表示パネルＰＮＬの基本構成及び等価回路を示す図である。表示パネルＰＮＬは、表示領域ＤＡにおいて、複数の画素ＰＸを備えている。複数の画素ＰＸは、マトリクス状に配置されている。また、表示パネルＰＮＬは、表示領域ＤＡにおいて、複数本の走査線Ｇ（Ｇ１〜Ｇｎ）、複数本の信号線Ｓ（Ｓ１〜Ｓｍ）、共通電極ＣＥなどを備えている。走査線Ｇは、各々第１方向Ｘに延出し、第２方向Ｙに並んでいる。信号線Ｓは、各々第２方向Ｙに延出し、第１方向Ｘに並んでいる。なお、走査線Ｇ及び信号線Ｓは、必ずしも直線的に延出していなくても良く、それらの一部が屈曲していてもよい。共通電極ＣＥは、複数の画素ＰＸに亘って配置されている。
【００１６】
走査線Ｇは、走査線駆動回路ＧＤに接続されている。信号線Ｓは、信号線駆動回路ＳＤに接続されている。共通電極ＣＥは、共通電極駆動回路ＣＤに接続されている。信号線駆動回路ＳＤ、走査線駆動回路ＧＤ、及び、共通電極駆動回路ＣＤは、非表示領域ＮＤＡにおいて、第１基板ＳＵＢ１上に形成されても良いし、これらの一部或いは全部が図１に示した駆動ＩＣチップ１に内蔵されていても良い。
【００１７】
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。これらの走査線Ｇ、信号線Ｓ、スイッチング素子ＳＷ、画素電極ＰＥ、共通電極ＣＥなどは、図１に示した第１基板ＳＵＢ１に備えられている。
【００１８】
図３は、遮光層ＢＭ、カラーフィルタＣＦ、及び、スペーサＳＰの配置例を示す平面図である。ここでは、Ｘ−Ｙ平面における平面図を示している。遮光層ＢＭ及びカラーフィルタＣＦは、図１に示した第２基板ＳＵＢ２に備えられている。
【００１９】
遮光層ＢＭは、図示した例では格子状に形成され、部分ＢＭＸ及び部分ＢＭＹを備えている。なお、遮光層ＢＭは、部分ＢＭＸ及び部分ＢＭＹを備えた構成において、はしご状などの格子状以外の構成であっても良い。部分ＢＭＸは、間隔をおいて第２方向Ｙに並び、それぞれ第１方向Ｘに延出している。これらの部分ＢＭＸは、平面視で走査線Ｇとそれぞれ重なっている。部分ＢＭＸの各々は、第２方向Ｙにほぼ一定の幅を有する帯状に形成されている。部分ＢＭＹは、間隔をおいて第１方向Ｘに並び、それぞれ第２方向Ｙに延出している。これらの部分ＢＭＹは、平面視で信号線Ｓとそれぞれ重なっている。部分ＢＭＹの各々は、第１方向Ｘにほぼ一定の幅を有する帯状に形成されている。
【００２０】
開口部ＯＰは、遮光層ＢＭによって区画され、第１方向Ｘ及び第２方向Ｙにマトリクス状に並んでいる。例えば、開口部ＯＰは、開口部ＯＰ１、開口部ＯＰ２、及び、開口部ＯＰ３を備えている。これらの開口部ＯＰ１乃至ＯＰ３は、互いに異なる色を表示する色画素である。開口部ＯＰ１には第１色のカラーフィルタＣＦ１が配置され、開口部ＯＰ２には第２色のカラーフィルタＣＦ２が配置され、開口部ＯＰ３には第３色のカラーフィルタＣＦ３が配置されている。第１色、第２色、及び、第３色は、互いに異なる色である。一例では、カラーフィルタＣＦ１は赤色カラーフィルタであり、カラーフィルタＣＦ２は緑色カラーフィルタであり、カラーフィルタＣＦ３は青色カラーフィルタである。図中においては、カラーフィルタＣＦ１は右上がりの斜線で示し、カラーフィルタＣＦ２はドットで示し、カラーフィルタＣＦ３は右下がりの斜線で示している。なお、カラーフィルタＣＦ１乃至ＣＦ３のそれぞれの色の選択は、図示した例に限定されるものではない。  
第１色画素に相当する開口部ＯＰ１、第２色画素に相当する開口部ＯＰ２、及び、第３色画素に相当する開口部ＯＰ３は、この順に第１方向Ｘに並び、開口部ＯＰ１乃至ＯＰ３のセットが第１方向Ｘに繰り返し配置されている。また、開口部ＯＰ１乃至ＯＰ３は、それぞれ第２方向Ｙに並んでいる。例えば、開口部ＯＰ１は赤色画素に相当し、開口部ＯＰ２は緑色画素に相当し、開口部ＯＰ３は青色画素に相当する。
【００２１】
遮光層ＢＭは、部分ＢＭＸと部分ＢＭＹとが交差する交差部を備えている。一部の交差部は、部分ＢＭＸの幅及び部分ＢＭＹの幅のいずれよりも拡張されており、スペーサＳＰと重なる遮光部に相当する。なお、本実施形態の遮光部とは、部分ＢＭＸと部分ＢＭＹとが十字状に交差する交差部に限らず、部分ＢＭＸと部分ＢＭＹとがＴ字状あるいはＹ字状などに交差する交差部であっても良い。以下に、遮光部について具体的に説明する。  
ここでは、部分ＢＭＸ１と、部分ＢＭＹ１乃至ＢＭＹ４とがそれぞれ交差する遮光部に着目して説明する。遮光層ＢＭは、遮光部Ｂ１乃至Ｂ５を備えている。遮光部Ｂ１は、部分ＢＭＸ１と部分ＢＭＹ１との交差部である。遮光部Ｂ２は、部分ＢＭＸ１と部分ＢＭＹ２との交差部である。遮光部Ｂ３は、部分ＢＭＸ１と部分ＢＭＹ３との交差部である。遮光部Ｂ４は、部分ＢＭＸ１と部分ＢＭＹ４との交差部である。遮光部Ｂ５は、部分ＢＭＸ２と部分ＢＭＹ１との交差部である。遮光部Ｂ１は、第１遮光部に相当する。遮光部Ｂ２は、第２遮光部に相当し、遮光部Ｂ１より小さい面積を有する。遮光部Ｂ３は、第３遮光部に相当し、遮光部Ｂ１より大きい面積を有している。遮光部Ｂ４は、第４遮光部に相当する。遮光部Ｂ１及びＢ４は、同一形状であり、同一面積を有している。遮光部Ｂ５は、第５遮光部に相当する。遮光部Ｂ３及びＢ５は、同一形状であり、同一面積を有している。図示した例では、遮光部Ｂ１乃至Ｂ４は、第１方向Ｘに沿った同一直線上に位置している。遮光部Ｂ１と遮光部Ｂ３との第１方向Ｘに沿った距離は、遮光部Ｂ３と遮光部Ｂ４との第１方向Ｘに沿った距離と同等である。図示した例では、遮光部Ｂ１と遮光部Ｂ３との間には遮光部Ｂ２と同一形状の３つの遮光部が位置し、また、遮光部Ｂ３と遮光部Ｂ４との間には遮光部Ｂ２と同一形状の３つの遮光部が位置しているが、この例に限定されるものではない。
【００２２】
遮光部Ｂ１乃至Ｂ４は、いずれもカラーフィルタＣＦ１が配置される開口部ＯＰ１及びカラーフィルタＣＦ２が配置される開口部ＯＰ２に隣接している。つまり、遮光部Ｂ１乃至Ｂ４は、赤色画素と緑色画素とに隣接している。なお、遮光部Ｂ１乃至Ｂ４は、開口部（赤色画素）ＯＰ１及び開口部（青色画素）ＯＰ３に隣接していても良いし、開口部（緑色画素）ＯＰ２及び開口部（青色画素）ＯＰ３に隣接していても良い。
【００２３】
スペーサＳＰは、いずれかの遮光部と重なる位置に配置されている。スペーサＳＰは、後述するが、第１基板ＳＵＢ１から離間し第２基板ＳＵＢ２に接触するサブスペーサＳＳＰと、第１基板ＳＵＢ１及び第２基板ＳＵＢ２に接触するメインスペーサＭＳＰとを備えている。図中においては、サブスペーサＳＳＰは斜めクロス線で示し、メインスペーサＭＳＰは横線で示している。遮光部Ｂ１と重なるスペーサＳＰ１は、第１スペーサに相当するサブスペーサである。遮光部Ｂ２と重なるスペーサＳＰ２は、第２スペーサに相当するサブスペーサである。遮光部Ｂ３と重なるスペーサＳＰ３は、第３スペーサに相当するメインスペーサである。
【００２４】
図４は、図３に示した各遮光部を拡大した平面図である。図４の（Ａ）は遮光部Ｂ１を示し、図４の（Ｂ）は遮光部Ｂ２を示し、図４の（Ｃ）は遮光部Ｂ３を示している。なお、図３に示した遮光部Ｂ４は図４の（Ａ）に示した遮光部Ｂ１と同一であり、図３に示した遮光部Ｂ５は図４の（Ｃ）に示した遮光部Ｂ３と同一であり、それぞれの説明は省略する。
【００２５】
遮光部Ｂ１は、開口部ＯＰ１１乃至ＯＰ１４に隣接している。開口部ＯＰ１１及びＯＰ１２は第１方向Ｘに隣り合い、開口部ＯＰ１３及びＯＰ１４は第１方向Ｘに隣り合い、開口部ＯＰ１１及びＯＰ１３は第２方向Ｙに隣り合い、開口部ＯＰ１２及びＯＰ１４は第２方向Ｙに隣り合っている。開口部ＯＰ１１及びＯＰ１３は、略同一の形状であり、略同一の面積を有している。開口部ＯＰ１２及びＯＰ１４は、略同一の形状であり、略同一の面積を有している。但し、開口部ＯＰ１１の面積は、開口部ＯＰ１２の面積より大きい。  
遮光部Ｂ１は、部分Ｂ１１乃至Ｂ１４を備えている。部分Ｂ１１乃至Ｂ１４は、いずれも部分ＢＭＸ１及びＢＭＹ１に繋がっている。部分Ｂ１１は開口部ＯＰ１１に隣接し、部分Ｂ１２は開口部ＯＰ１２に隣接し、部分Ｂ１３は開口部ＯＰ１３に隣接し、部分Ｂ１４は開口部ＯＰ１４に隣接している。部分Ｂ１２は、部分Ｂ１１より大きな面積を有し、また、部分Ｂ１４と同等の面積を有している。部分Ｂ１３は、部分Ｂ１１と同等の面積を有している。部分Ｂ１４は、部分Ｂ１３より大きな面積を有している。ここでは、例えば、開口部ＯＰ１１が第１開口部に相当し、開口部ＯＰ１２が第２開口部に相当し、開口部ＯＰ１３が第７開口部に相当し、開口部ＯＰ１４が第８開口部に相当し、部分Ｂ１１が第１部分に相当し、部分Ｂ１２が第２部分に相当し、部分Ｂ１３が第７部分に相当し、部分Ｂ１４が第８部分に相当する。  
部分Ｂ１１乃至Ｂ１４は、扇形状に形成されている。遮光部Ｂ１について、部分Ｂ１１及びＢ１３を含む図中の左側半分が第１半径の半円形状に形成され、部分Ｂ１２及びＢ１４を含む図中の右側半分が第１半径より大きい第２半径の半円形状に形成されている。
【００２６】
遮光部Ｂ２は、開口部ＯＰ２１乃至ＯＰ２４に隣接している。開口部ＯＰ２１乃至ＯＰ２４は、いずれも略同一の形状であり、略同一の面積を有している。開口部ＯＰ２１乃至ＯＰ２４の各々の面積は、開口部ＯＰ１１の面積と同等である。開口部ＯＰ２１乃至ＯＰ２４の各々の面積は、開口部ＯＰ１２の面積より大きい。  
遮光部Ｂ２は、部分Ｂ２１乃至Ｂ２４を備えている。部分Ｂ２１乃至Ｂ２４は、いずれも部分ＢＭＸ１及びＢＭＹ２に繋がっている。部分Ｂ２１は開口部ＯＰ２１に隣接し、部分Ｂ２２は開口部ＯＰ２２に隣接し、部分Ｂ２３は開口部ＯＰ２３に隣接し、部分Ｂ２４は開口部ＯＰ２４に隣接している。部分Ｂ２１乃至Ｂ２４は、同等の面積を有している。但し、部分Ｂ２１乃至Ｂ２４の各面積は、部分Ｂ１２の面積より小さい。ここでは、例えば、開口部ＯＰ２１が第３開口部に相当し、開口部ＯＰ２２が第４開口部に相当し、部分Ｂ２１が第３部分に相当し、部分Ｂ２２が第４部分に相当する。  
部分Ｂ２１乃至Ｂ２４は、扇形状に形成されている。遮光部Ｂ２は、部分Ｂ２１乃至Ｂ２４を含み、第１半径の円形状に形成されている。
【００２７】
遮光部Ｂ３は、開口部ＯＰ３１乃至ＯＰ３４に隣接している。開口部ＯＰ３１乃至ＯＰ３４は、いずれも略同一の形状であり、略同一の面積を有している。開口部ＯＰ３１乃至ＯＰ３４の各々の面積は、開口部ＯＰ１２の面積と同等である。開口部ＯＰ３１乃至ＯＰ３４の各々の面積は、開口部ＯＰ１１の面積より小さい。  
遮光部Ｂ３は、部分Ｂ３１乃至Ｂ３４を備えている。部分Ｂ３１乃至Ｂ３４は、いずれも部分ＢＭＸ１及びＢＭＹ３に繋がっている。部分Ｂ３１は開口部ＯＰ３１に隣接し、部分Ｂ３２は開口部ＯＰ３２に隣接し、部分Ｂ３３は開口部ＯＰ３３に隣接し、部分Ｂ３４は開口部ＯＰ３４に隣接している。部分Ｂ３１乃至Ｂ３４は、同等の面積を有している。但し、部分Ｂ３１乃至３４の各面積は、部分Ｂ２２の面積より大きく、部分Ｂ１２の面積と同等である。ここでは、例えば、開口部ＯＰ３１が第５開口部に相当し、開口部ＯＰ３２が第６開口部に相当し、部分Ｂ３１が第５部分に相当し、部分Ｂ３２が第６部分に相当する。  
部分Ｂ３１乃至Ｂ３４は、扇形状に形成されている。遮光部Ｂ３は、部分Ｂ３１乃至Ｂ３４を含み、第１半径より大きい第２半径の円形状に形成されている。
【００２８】
開口部ＯＰ１１、ＯＰ１３、ＯＰ２１、ＯＰ２３、ＯＰ３１、ＯＰ３３は、いずれも同一色のカラーフィルタＣＦ１が配置される色画素に相当する。開口部ＯＰ１２、ＯＰ１４、ＯＰ２２、ＯＰ２４、ＯＰ３２、ＯＰ３４は、いずれも同一色のカラーフィルタＣＦ２が配置される色画素に相当する。一例では、カラーフィルタＣＦ１は赤色であり、カラーフィルタＣＦ２は緑色である。つまり、開口部ＯＰ１１、ＯＰ１３、ＯＰ２１、ＯＰ２３、ＯＰ３１、ＯＰ３３は、開口部ＯＰ１と同様に赤色画素に相当し、開口部ＯＰ１２、ＯＰ１４、ＯＰ２２、ＯＰ２４、ＯＰ３２、ＯＰ３４は、開口部ＯＰ２と同様に緑色画素に相当する。但し、カラーフィルタＣＦ１は青色であっても良いし、カラーフィルタＣＦ２は緑色に限らず、他の色であっても良い。
【００２９】
メインスペーサＭＳＰであるスペーサＳＰ３と重なる遮光部Ｂ３は、隣接する開口部ＯＰ３１乃至ＯＰ３４の色にかかわらず、いずれも大きな面積の部分Ｂ３１乃至Ｂ３４を備えている。サブスペーサＳＳＰであるスペーサＳＰ２と重なる遮光部Ｂ２は、隣接する開口部ＯＰ２１乃至ＯＰ２４の色にかかわらず、いずれも部分Ｂ３１などよりも小さい面積の部分Ｂ２１乃至Ｂ２４を備えている。ところで、遮光部Ｂ１は、サブスペーサＳＳＰであるスペーサＳＰ１と重なるため、本来であれば、遮光部Ｂ２と同様に、すべて小さい面積の部分を備えていれば良いが、本実施形態では、隣接する開口部の色に応じて面積の異なる部分を備えている。上記の例では、カラーフィルタＣＦ２が配置される開口部ＯＰ１２及びＯＰ１４とそれぞれ隣接する部分Ｂ１２及びＢ１４は、カラーフィルタＣＦ１が配置される開口部ＯＰ１１及びＯＰ１３とそれぞれ隣接する部分Ｂ１１及びＢ１３よりも大きな面積を有している。遮光部Ｂ２が上記の形状を有する理由は、同一色の開口部における面積差に起因した表示ムラを抑制するためであり、また、カラーフィルタＣＦ１の色と、カラーフィルタＣＦ２の色とでは表示ムラが視認されやすいピッチが異なるためである。
【００３０】
すなわち、メインスペーサＭＳＰが周期的に配置されることに伴って、遮光部Ｂ３と同様の大面積を有する遮光部が周期的に配置される。遮光部Ｂ３に隣接する開口部は、その他の開口部と比較して面積が小さい。つまり、周期的に小さい面積の開口部が配置されることにより、輝度の差異が周期的な筋状の表示ムラとして視認されるおそれがある。そこで、発明者らは、表示ムラの視認性について評価を行った。以下に、発明者らが実施した表示ムラの視認性の評価について説明する。
【００３１】
図５は、表示ムラの視認性の評価方法を模式的に示した図である。  
本評価試験機では、リファレンス領域Ｒｅｆ及び試験領域Ｅｘｐを交互に並べた。また、試験領域Ｅｘｐは、ピッチＰｓの間隔を空けて並んでいる。リファレンス領域Ｒｅｆ及び試験領域Ｅｘｐは、いずれも同一色の同一階調を表示させた領域である。リファレンス領域Ｒｅｆの輝度Ｉ０は、図４の（Ｂ）に示した開口部ＯＰ２２と同等に設定される。試験領域Ｅｘｐの輝度Ｉ１は、図４の（Ａ）に示した開口部ＯＰ１２や図４の（Ｃ）に示した開口部ＯＰ３２と同等に設定される。リファレンス領域Ｒｅｆと試験領域Ｅｘｐとの間の領域は、黒表示（０階調）とした。試験機のガンマ値は２．２である。  
上記の条件のもと、ピッチＰｓ、及び、輝度差あるいは開口部面積差の割合（Ｉ０−Ｉ１）／Ｉ０を変数として、リファレンス領域Ｒｅｆ及び試験領域Ｅｘｐの輝度の相違が表示ムラとして視認されるか否かを評価した。
【００３２】
図６Ａ及び図６Ｂは、それぞれ表示ムラの視認性の評価結果を示す図である。縦軸はリファレンス領域Ｒｅｆと試験領域Ｅｘｐとの輝度差割合（Ｉ０−Ｉ１）／Ｉ０（％）を示し、横軸はピッチＰｓ（μｍ）を示している。ＮＧは表示ムラが視認される条件範囲を示し、ＯＫは表示ムラが視認されない条件範囲を示している。  
図６Ａに示した例は、リファレンス領域Ｒｅｆ及び試験領域Ｅｘｐにいずれも赤色（Ｒ）を表示させた場合に相当するが、リファレンス領域Ｒｅｆ及び試験領域Ｅｘｐにいずれも青色（Ｂ）を表示させた場合も同様の結果が得られた。図６Ｂに示した例は、リファレンス領域Ｒｅｆ及び試験領域Ｅｘｐにいずれも緑色（Ｇ）を表示させた場合に相当する。
【００３３】
全体的な傾向として、試験領域Ｅｘｐは、ピッチＰｓが大きくなると表示ムラが視認されやすくなり、ピッチＰｓが小さくなると表示ムラが視認されにくくなる。輝度差割合の観点から見ると、同一の輝度差割合の場合に、表示ムラが視認されない条件（ＯＫ）のピッチＰｓは、緑色Ｇを表示させた場合の方が、赤色（Ｒ）及び青色（Ｂ）を表示させた場合よりも小さい。例えば、輝度差割合が１０％のとき、赤色（Ｒ）及び青色（Ｂ）を表示させた場合には２８０μｍ以下のピッチＰｓであることが要求されるのに対して、緑色（Ｇ）を表示させた場合には１６０μｍ以下のピッチＰｓであることが要求される。
【００３４】
図３に示した例では、遮光部Ｂ１乃至Ｂ３は、いずれも、赤色の開口部及び緑色の開口部に隣接している。赤色の開口部のうち、遮光部Ｂ３に隣接する開口部は、他の赤色の開口部よりも小さい面積を有する。このような小面積の赤色の開口部のピッチＰｓＲは、図６Ａの評価結果に基づいて決定される。同様に、緑色の開口部のうち、遮光部Ｂ３に隣接する開口部は、他の緑色の開口部よりも小さい面積を有する。このような小面積の緑色の開口部のピッチＰｓＧは、図６Ｂの評価結果に基づいて決定される。しかしながら、上記の通り、表示ムラ抑制の観点では、要求される赤色ピッチＰｓＲと緑色ピッチＰｓＧとは一致せず、要求される緑色ピッチＰｓＧは、赤色ピッチＰｓＲよりも小さい。このため、所望の緑色ピッチＰｓＧを実現するためには、緑色の開口部に隣接する一部の遮光部を拡大し、当該緑色の開口部の面積を小さくする必要がある。そこで、図３に示したように、サブスペーサと重なる遮光部でありながら、緑色の開口部に隣接する部分が赤色の開口部に隣接する部分よりも大きな面積を有する遮光部Ｂ１を周期的に配置することが望ましい。
【００３５】
なお、図３に示した例でのピッチとは、同一色の小面積の開口部が第１方向Ｘに並ぶ最短距離、または、第１方向Ｘ及び第２方向Ｙに交差する斜め方向に並ぶ最短距離に相当する。一例では、緑色開口部の緑色ピッチＰｓＧは、図示したように、遮光部Ｂ１と遮光部Ｂ３との第１方向Ｘに沿った距離に相当する。また、赤色開口部の赤色ピッチＰｓＲは、図示したように、遮光部Ｂ３と遮光部Ｂ５との斜め方向に沿った距離に相当する。赤色ピッチＰｓＲは、緑色ピッチＰｓＧよりも大きい。また、遮光部Ｂ３が青色の開口部及び緑色の開口部に隣接する場合、小面積の青色の開口部のピッチＰｓＢは、図６Ａの評価結果に基づいて決定される。
【００３６】
本実施形態によれば、サブスペーサＳＳＰが配置される遮光部（第２遮光部）Ｂ２、及び、メインスペーサＭＳＰが配置される遮光部（第３遮光部）Ｂ３に加えて、サブスペーサＳＳＰが配置される遮光部でありながら、その一部分が拡大された遮光部（第１遮光部）Ｂ１を備えている。遮光部が拡大された部分に隣接する開口部は、他の開口部よりも小さい面積を有する。このような遮光部Ｂ１と同一形状の遮光部を周期的に配置することにより、メインスペーサＭＳＰの配置ピッチにかかわらず、所定の色の開口部について、表示ムラが視認されないピッチで配置することができる。  
上記の例では、緑色の開口部について所望のピッチＰｓＧで配置することができ、他の色よりも比視感度の高い緑色について、表示ムラを視認されにくくすることができる。また、上記の例では、遮光部Ｂ１は、緑色の開口部及び赤色の開口部に隣接している。赤色の開口部と隣接する部分については、遮光部Ｂ２と同一形状である。このため、遮光部Ｂ１を遮光部Ｂ３に置換した場合と比較して、赤色の開口部の面積が減少せず、赤色の輝度あるいは透過率の低下を抑制することができる。遮光部Ｂ１が緑色の開口部及び青色の開口部に隣接している場合には、緑色の表示ムラを抑制できるとともに青色の輝度の低下を抑制することができる。  
なお、上記構成例では、遮光部Ｂ１が備える各部分Ｂ１１乃至Ｂ１４がいずれも扇形状に形成された場合について説明した。しかしながら、遮光部Ｂ１はサブスペーサＳＳＰが配置される遮光部であるため、少なくとも遮光部Ｂ２と同様の形状を含んでいれば良い。つまり、遮光部Ｂ１のうち、緑色の開口部に隣接する部分Ｂ１２及びＢ１４については、扇形状に限らず、他の形状であっても良い。すなわち、緑色の開口部ＯＰ１２及びＯＰ１４の面積がそれぞれ開口部ＯＰ３１及びＯＰ３４と同等となれば、部分Ｂ１２及びＢ１４の形状は特に問わない。
【００３７】
したがって、表示品位を改善することが可能となる。
【００３８】
次に、本実施形態の表示装置の具体的な構成例について以下に説明する。
【００３９】
図７は、図１に示した第１基板ＳＵＢ１を第２基板ＳＵＢ２側から見たときの画素ＰＸの構成例を示す平面図である。図示した例は、横電界を利用する表示モードの一つであるＦＦＳ（Ｆｒｉｎｇｅ  Ｆｉｅｌｄ  Ｓｗｉｔｃｈｉｎｇ）モードが適用された例に相当する。第１基板ＳＵＢ１は、走査線Ｇ１及びＧ２、信号線Ｓ１及びＳ２、スイッチング素子ＳＷ、画素電極ＰＥなどを備えている。なお、一例では、第１基板ＳＵＢ１は共通電極を備えているが、ここでは共通電極の図示を省略する。
【００４０】
走査線Ｇ１及びＧ２は、第２方向Ｙに沿って間隔をおいて配置され、それぞれ第１方向Ｘに沿って延出している。信号線Ｓ１及びＳ２は、第１方向Ｘに沿って間隔をおいて配置され、それぞれ第２方向Ｙに沿って延出している。図示した例では、画素ＰＸは、走査線Ｇ１及びＧ２と信号線Ｓ１及びＳ２とが成すマス目の領域に相当し、第１方向Ｘに沿った長さが第２方向Ｙに沿った長さよりも短い長方形状である。なお、画素ＰＸの形状は、長方形状に限らず、適宜に変更することが可能である。  
スイッチング素子ＳＷは、走査線Ｇ２及び信号線Ｓ１と電気的に接続されている。図示した例のスイッチング素子ＳＷは、ダブルゲート構造を有している。スイッチング素子ＳＷは、半導体層ＳＣ及び中継電極ＲＥを備えている。半導体層ＳＣは、その一部分が信号線Ｓ１と重なるように配置され、他の部分が信号線Ｓ１及びＳ２の間に延出し、略Ｕ字状に形成されている。中継電極ＲＥは、島状に形成され、走査線Ｇ１及びＧ２の間であって且つ信号線Ｓ１及びＳ２の間に配置されている。  
画素電極ＰＥは、走査線Ｇ１及びＧ２の間であって、信号線Ｓ１及びＳ２の間に配置されている。画素電極ＰＥは、主電極部ＰＡ及びコンタクト部ＰＢを備えている。主電極部ＰＡ及びコンタクト部ＰＢは、一体的あるいは連続的に形成され、互いに電気的に接続されている。図示した画素電極ＰＥは、コンタクト部ＰＢから走査線Ｇ１に向かって延出した２本の主電極部ＰＡを備えている。主電極部ＰＡは、それぞれ第２方向Ｙに沿って直線的に延出している。２本の主電極部ＰＡは、間隔をおいて第１方向Ｘに並び、それぞれ第１方向Ｘに沿って略同一の幅を有する帯状に形成されている。コンタクト部ＰＢは、中継電極ＲＥと重畳する位置に配置され、中継電極ＲＥと電気的に接続されている。これにより、画素電極ＰＥは、スイッチング素子ＳＷと電気的に接続される。なお、画素電極ＰＥの形状は、図示した例に限定されるものではなく、画素ＰＸの形状などに合わせて適宜変更することができる。例えば、画素電極ＰＥは、第１方向Ｘ及び第２方向Ｙと交差する斜め方向に延出し、主電極部ＰＡが斜め方向に延出していても良い。
【００４１】
図８は、図７のＡ−Ｂ線で切断した表示パネルＰＮＬの一部の構造を示す断面図である。第１基板ＳＵＢ１は、第１絶縁基板１０、第１絶縁膜１１、第２絶縁膜１２、第３絶縁膜１３、第４絶縁膜１４、第５絶縁膜１５、下側遮光層ＵＳ、半導体層ＳＣ、走査線Ｇ２、信号線Ｓ１、中継電極ＲＥ、共通電極ＣＥ、画素電極ＰＥ、第１配向膜ＡＬ１などを備えている。
【００４２】
第１絶縁基板１０は、ガラス基板や樹脂基板などの光透過性を有する基板である。下側遮光層ＵＳは、第１絶縁基板１０の上に位置し、第１絶縁膜１１によって覆われている。下側遮光層ＵＳは、バックライトユニットＢＬから半導体層ＳＣに向かう光を遮光する。半導体層ＳＣは、第１絶縁膜１１の上に位置し、第２絶縁膜１２によって覆われている。半導体層ＳＣは、例えば、多結晶シリコンによって形成されているが、アモルファスシリコンや酸化物半導体によって形成されていても良い。  
走査線Ｇ２の一部であるゲート電極ＧＥ１及びＧＥ２は、第２絶縁膜１２の上に位置し、第３絶縁膜１３によって覆われている。走査線Ｇ２は、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金などによって形成され、単層構造であっても良いし、多層構造であっても良い。なお、下側遮光層ＵＳは、ゲート電極ＧＥ１及びＧＥ２と対向する位置の半導体層ＳＣの直下に位置していることが望ましい。信号線Ｓ１及び中継電極ＲＥは、第３絶縁膜１３の上に位置し、第４絶縁膜１４によって覆われている。信号線Ｓ１及び中継電極ＲＥは、同一材料によって形成され、上記の金属材料が適用可能である。信号線Ｓ１は、第２絶縁膜１２及び第３絶縁膜１３を貫通するコンタクトホールを介して半導体層ＳＣにコンタクトしている。中継電極ＲＥは、第２絶縁膜１２及び第３絶縁膜１３を貫通するコンタクトホールを介して半導体層ＳＣにコンタクトしている。  
共通電極ＣＥは、第４絶縁膜１４の上に位置し、第５絶縁膜１５によって覆われている。画素電極ＰＥは、第５絶縁膜１５の上に位置し、第１配向膜ＡＬ１によって覆われている。画素電極ＰＥの一部は、第５絶縁膜１５を介して共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、共通電極ＣＥの開口部と重畳する位置において、第４絶縁膜１４及び第５絶縁膜１５を貫通するコンタクトホールを介して中継電極ＲＥにコンタクトしている。なお、第１絶縁膜１１、第２絶縁膜１２、第３絶縁膜１３、及び、第５絶縁膜１５は、シリコン酸化物、シリコン窒化物、シリコン酸窒化物などの無機絶縁膜であり、単層構造であっても良いし、多層構造であっても良い。第４絶縁膜１４は、アクリル樹脂などの有機絶縁膜である。
【００４３】
第２基板ＳＵＢ２は、第２絶縁基板２０、遮光層ＢＭ、カラーフィルタＣＦ、オーバーコート層ＯＣ、第２配向膜ＡＬ２などを備えている。  
第２絶縁基板２０は、ガラス基板や樹脂基板などの光透過性を有する基板である。遮光層ＢＭ及びカラーフィルタＣＦは、第２絶縁基板２０の第１基板ＳＵＢ１と対向する側に位置している。遮光層ＢＭは、上記の通り格子状に形成され、各画素を区画している。各画素において、遮光層ＢＭによって区画された内側の領域が上記の開口部に相当し、表示に寄与する領域となり得る。一例では、遮光層ＢＭは、信号線Ｓ１及びＳ２や走査線Ｇ１及びＧ２やスイッチング素子ＳＷなどの配線部とそれぞれ対向する位置に配置されている。カラーフィルタＣＦは、画素電極ＰＥと対向する位置に配置され、その一部が遮光層ＢＭに重なっている。カラーフィルタＣＦには、上記のカラーフィルタＣＦ１乃至ＣＦ３が含まれる。オーバーコート層ＯＣは、カラーフィルタＣＦを覆っている。第２配向膜ＡＬ２は、オーバーコート層ＯＣを覆っている。  
なお、カラーフィルタＣＦは、第１基板ＳＵＢ１に配置されても良い。遮光層ＢＭは、カラーフィルタＣＦとオーバーコート層ＯＣとの間、あるいは、オーバーコート層ＯＣと第２配向膜ＡＬ２との間に配置されても良い。また、白色を表示する画素が追加されても良く、白色画素には白色のカラーフィルタを配置しても良いし、無着色の樹脂材料を配置しても良いし、カラーフィルタを配置せずにオーバーコート層ＯＣを配置しても良い。
【００４４】
上述した第１基板ＳＵＢ１及び第２基板ＳＵＢ２は、第１配向膜ＡＬ１及び第２配向膜ＡＬ２が対向するように配置されている。第１配向膜ＡＬ１と第２配向膜ＡＬ２との間には、所定のセルギャップが形成される。セルギャップは、例えば２〜５μｍである。第１基板ＳＵＢ１及び第２基板ＳＵＢ２は、所定のセルギャップが形成された状態でシール材によって貼り合わせられている。
【００４５】
液晶層ＬＣは、第１基板ＳＵＢ１及び第２基板ＳＵＢ２の間に位置し、第１配向膜ＡＬ１と第２配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００４６】
上記のような構成の表示パネルＰＮＬに対して、第１基板ＳＵＢ１の下方には、第１偏光板ＰＬ１を含む第１光学素子ＯＤ１が配置されている。また、第２基板ＳＵＢ２の上方には、第２偏光板ＰＬ２を含む第２光学素子ＯＤ２が配置されている。一例では、第１偏光板ＰＬ１及び第２偏光板ＰＬ２は、それぞれの吸収軸がＸ−Ｙ平面において互いに直交するように配置されている。なお、第１光学素子ＯＤ１及び第２光学素子ＯＤ２は、必要に応じて、１／４波長板や１／２波長板などの位相差板、散乱層、反射防止層などを備えていても良い。
【００４７】
このような構成例においては、画素電極ＰＥと共通電極ＣＥとの間に電界が形成されていないオフ状態において、液晶層ＬＣに含まれる液晶分子は、第１配向膜ＡＬ１及び第２配向膜ＡＬ２の間で所定の方向に初期配向している。このようなオフ状態では、バックライトユニットＢＬから表示パネルＰＮＬに向けて照射された光は、第１光学素子ＯＤ１及び第２光学素子ＯＤ２によって吸収され、暗表示となる。一方、画素電極ＰＥと共通電極ＣＥとの間に電界が形成されたオン状態においては、液晶分子は、電界により初期配向方向とは異なる方向に配向し、その配向方向は電界によって制御される。このようなオン状態では、バックライトユニットＢＬからの光の一部は、第１光学素子ＯＤ１及び第２光学素子ＯＤ２を透過し、明表示となる。
【００４８】
図９は、図３のＣ−Ｄ線で切断した表示パネルＰＮＬの構成例を示す断面図である。第１基板ＳＵＢ１において、信号線Ｓ１乃至Ｓ４は、第３絶縁膜１３と第４絶縁膜１４との間に位置している。共通電極ＣＥは、第４絶縁膜１４と第５絶縁膜１５との間に位置している。画素電極ＰＥ１乃至ＰＥ３は、第５絶縁膜１５と第１配向膜ＡＬ１との間に位置している。  
第２基板ＳＵＢ２において、遮光層ＢＭは、信号線Ｓ１乃至Ｓ４とそれぞれ対向している。カラーフィルタＣＦ１乃至ＣＦ３は、画素電極ＰＥ１乃至Ｐ３とそれぞれ対向している。オーバーコート層ＯＣは、カラーフィルタＣＦ１乃至ＣＦ３を覆っている。
【００４９】
図１０は、図３などに示したメインスペーサＭＳＰを含む表示パネルＰＮＬを第１方向Ｘに沿って切断した構成例を示す断面図である。  
メインスペーサＭＳＰは、第１基板ＳＵＢ１と第２基板ＳＵＢ２との間に位置している。図示した例のメインスペーサＭＳＰは、第２基板ＳＵＢ２に設けられ、第１基板ＳＵＢ１に接触し、第１基板ＳＵＢ１と第２基板ＳＵＢ２との間に所定のセルギャップを形成している。より具体的には、メインスペーサＭＳＰは、オーバーコート層ＯＣの第１基板ＳＵＢ１と対向する側に位置し、第１配向膜ＡＬ１に接触している。  
なお、図中において、画素電極ＲＥ１はコンタクトホールＣＨ１を通じて中継電極ＲＥ１と接続され、画素電極ＲＥ２はコンタクトホールＣＨ２を通じて中継電極ＲＥ２と接続されている。また、詳細な図示を省略するが、半導体層ＳＣ１は中継電極ＲＥ１と接続され、半導体層ＳＣ２は中継電極ＲＥ２と接続されている。半導体層と中継電極との接続構造については、図８を参照して説明した通りである。
【００５０】
図１１は、図３などに示したサブスペーサＳＳＰを含む表示パネルＰＮＬを第１方向Ｘに沿って切断した構成例を示す断面図である。  
サブスペーサＳＳＰは、第１基板ＳＵＢ１と第２基板ＳＵＢ２との間に位置している。図示した例のサブスペーサＳＳＰは、第２基板ＳＵＢ２に設けられている。より具体的には、サブスペーサＳＳＰは、オーバーコート層ＯＣの第１基板ＳＵＢ１と対向する側に位置し、サブスペーサＳＳＰと第１配向膜ＡＬ１との間には、液晶層ＬＣが介在している。このようなサブスペーサＳＳＰは、図示したように、表示パネルＰＮＬに対して外部応力が加わっていない定常状態では、第１基板ＳＵＢ１から離間しているが、表示パネルＰＮＬに対して外部から局所的な衝撃が加わった際に第１基板ＳＵＢ１に接触することで衝撃を吸収する。これにより、外部から衝撃を加えた場合の圧縮変形に対する耐性を向上することが可能となる。
【００５１】
なお、図１０に示したメインスペーサＭＳＰ及び図１１に示したサブスペーサＳＳＰは、いずれも樹脂材料によって形成することができる。例えば、メインスペーサＭＳＰ及びサブスペーサＳＳＰは、オーバーコート層ＯＣと同一の樹脂材料によって形成することができ、また、オーバーコート層ＯＣと一括して形成することが可能である。
【００５２】
次に、他の構成例について説明する。なお、上記の構成例と同一の構成については同一の参照符号を付して詳細な説明を省略する。
【００５３】
図１２は、遮光層ＢＭ、カラーフィルタＣＦ、及び、スペーサＳＰの他の配置例を示す平面図である。  
図１２に示した配置例は、図３に示した配置例と比較して、カラーフィルタＣＦ３が配置された開口部ＯＰ３と、カラーフィルタＣＦ４が配置された開口部ＯＰ４とが第２方向Ｙに交互に並んでいる点で相違している。開口部ＯＰ４は例えば白色画素に相当し、カラーフィルタＣＦ４の色は白色または透明である。  
部分ＢＭＹ１と部分ＢＭＸ１との交差部には遮光部Ｂ１が配置され、部分ＢＭＹ１と部分ＢＭＸ２との交差部には遮光部Ｂ２が配置され、部分ＢＭＹ１と部分ＢＭＸ３との交差部には遮光部Ｂ３が配置され、部分ＢＭＹ１と部分ＢＭＸ４との交差部には遮光部Ｂ４が配置され、部分ＢＭＹ２と部分ＢＭＸ１との交差部には遮光部Ｂ５が配置される。遮光部Ｂ１乃至Ｂ５は、いずれも、図３に示した遮光部Ｂ１乃至Ｂ５と同一である。これらの遮光部Ｂ１乃至Ｂ５は、例えば、赤色画素である開口部ＯＰ１及び緑色画素である開口部ＯＰ２に隣接している。なお、遮光部Ｂ１乃至Ｂ５がそれぞれ隣接する色画素は、上記の例に限らない。  
このような配置例においても、小面積の赤色（または青色）の開口部のピッチＰｓＲ（またはピッチＰｓＢ）は図６Ａの評価結果に基づいて決定され、小面積の緑色の開口部のピッチＰｓＧは図６Ｂの評価結果に基づいて決定される。したがって、上記の配置例と同様の効果が得られる。
【００５４】
図１３は、遮光層ＢＭ、カラーフィルタＣＦ、及び、スペーサＳＰの他の配置例を示す平面図である。
【００５５】
図１３に示した配置例は、図３に示した配置例と比較して、互いに異なる色の開口部ＯＰ１乃至ＯＰ３が第１方向Ｘのみならず第２方向Ｙにも並び、１個の遮光部が３種類の開口部ＯＰ１乃至ＯＰ３と隣接する点で相違している。サブスペーサＳＳＰであるスペーサＳＰ２が配置される遮光部Ｂ２、及び、メインスペーサＭＳＰであるスペーサＳＰ３が配置される遮光部Ｂ３は、いずれの円形状に形成され、図３に示した遮光部Ｂ２及びＢ３とそれぞれ同一である。サブスペーサＳＳＰであるスペーサＳＰ２が配置される遮光部Ｂ１は、図３に示した遮光部Ｂ１とは異なる形状に形成されている。図示した例では、遮光部Ｂ２、Ｂ３、Ｂ６は、赤色画素である２つの開口部ＯＰ１、緑色画素である１つの開口部ＯＰ２、及び、青色画素である１つの開口部ＯＰ３に隣接している。なお、これらの遮光部がそれぞれ隣接する色画素の組み合わせは、上記の例に限らない。  
このような配置例においても、小面積の赤色及び青色の開口部のそれぞれのピッチＰｓＲ及びピッチＰｓＢは図６Ａの評価結果に基づいて決定され、小面積の緑色の開口部のピッチＰｓＧは図６Ｂの評価結果に基づいて決定される。
【００５６】
図１４は、図１３に示した各遮光部を拡大した平面図である。図１４の（Ａ）は遮光部Ｂ６を示し、図１４の（Ｂ）は遮光部Ｂ２を示し、図１４の（Ｃ）は遮光部Ｂ３を示している。
【００５７】
遮光部Ｂ６は、開口部ＯＰ６１乃至ＯＰ６４に隣接している。開口部ＯＰ６１、ＯＰ６３、ＯＰ６４は、略同一の形状であり、略同一の面積を有している。開口部ＯＰ６２の面積は、開口部ＯＰ６１の面積より小さい。  
遮光部Ｂ６は、部分Ｂ６１乃至Ｂ６４を備えている。部分Ｂ６１乃至Ｂ６４は、いずれも部分ＢＭＸ１及びＢＭＹ１に繋がっている。部分Ｂ６１は開口部ＯＰ６１に隣接し、部分Ｂ６２は開口部ＯＰ６２に隣接し、部分Ｂ６３は開口部ＯＰ６３に隣接し、部分Ｂ６４は開口部ＯＰ６４に隣接している。部分Ｂ６１、Ｂ６３、Ｂ６４は、同等の面積を有している。部分Ｂ６２の面積は、部分Ｂ６１の面積より大きい。部分Ｂ６１乃至Ｂ６４は、扇形状に形成されている。遮光部Ｂ６について、部分Ｂ６１、Ｂ６３、Ｂ６４を含む領域は第１半径の扇状に形成され、部分Ｂ６２を含む部分は第１半径より大きい第２半径の扇状に形成されている。  
ここでは、例えば、開口部ＯＰ６１が第１開口部に相当し、開口部ＯＰ６２が第２開口部に相当し、開口部ＯＰ６３が第７開口部に相当し、開口部ＯＰ６４が第８開口部に相当し、部分Ｂ６１が第１部分に相当し、部分Ｂ６２が第２部分に相当し、部分Ｂ６３が第７部分に相当し、部分Ｂ６４が第８部分に相当する。
【００５８】
遮光部Ｂ２は、開口部ＯＰ２１乃至ＯＰ２４に隣接している。開口部ＯＰ２１乃至ＯＰ２４は、いずれも略同一の形状であり、略同一の面積を有している。但し、開口部ＯＰ２２は、開口部ＯＰ６２と同等の面積を有している。  
遮光部Ｂ２は、部分Ｂ２１乃至Ｂ２４を備えている。部分Ｂ２１乃至Ｂ２４は、いずれも部分ＢＭＸ１及びＢＭＹ２に繋がっている。部分Ｂ２１は開口部ＯＰ２１に隣接し、部分Ｂ２２は開口部ＯＰ２２に隣接し、部分Ｂ２３は開口部ＯＰ２３に隣接し、部分Ｂ２４は開口部ＯＰ２４に隣接している。部分Ｂ２１乃至Ｂ２４は、同等の面積を有している。部分Ｂ２１乃至Ｂ２４は、扇形状に形成されている。遮光部Ｂ２は、部分Ｂ２１乃至Ｂ２４を含み、第１半径の円形状に形成されている。
【００５９】
遮光部Ｂ３は、開口部ＯＰ３１乃至ＯＰ３４に隣接している。開口部ＯＰ３１乃至ＯＰ３４は、いずれも略同一の形状であり、略同一の面積を有している。開口部ＯＰ３２は、開口部ＯＰ６２と同等の面積を有している。  
遮光部Ｂ３は、部分Ｂ３１乃至Ｂ３４を備えている。部分Ｂ３１乃至Ｂ３４は、いずれも部分ＢＭＸ１及びＢＭＹ３に繋がっている。部分Ｂ３１は開口部ＯＰ３１に隣接し、部分Ｂ３２は開口部ＯＰ３２に隣接し、部分Ｂ３３は開口部ＯＰ３３に隣接し、部分Ｂ３４は開口部ＯＰ３４に隣接している。部分Ｂ３１乃至Ｂ３４は、同等の面積を有している。部分Ｂ３１乃至Ｂ３４は、扇形状に形成されている。遮光部Ｂ３は、部分Ｂ３１乃至Ｂ３４を含み、第１半径より大きい第２半径の円形状に形成されている。
【００６０】
開口部ＯＰ６１、ＯＰ６４、ＯＰ２１、ＯＰ２４、ＯＰ３１、ＯＰ３４は、いずれも同一色のカラーフィルタＣＦ１が配置される色画素に相当する。開口部ＯＰ６２、ＯＰ２２、ＯＰ３２は、いずれも同一色のカラーフィルタＣＦ２が配置される色画素に相当する。開口部ＯＰ６３、ＯＰ２３、ＯＰ３３は、いずれも同一色のカラーフィルタＣＦ３が配置される色画素に相当する。一例では、カラーフィルタＣＦ１は赤色であり、カラーフィルタＣＦ２は緑色であり、カラーフィルタＣＦ３は青色である。つまり、開口部ＯＰ６１、ＯＰ６４、ＯＰ２１、ＯＰ２４、ＯＰ３１、ＯＰ３４は、開口部ＯＰ１と同様に赤色画素に相当し、開口部ＯＰ６２、ＯＰ２２、ＯＰ３２は、開口部ＯＰ２と同様に緑色画素に相当し、開口部ＯＰ６３、ＯＰ２３、ＯＰ３３は、開口部ＯＰ３と同様に青色画素に相当する。但し、カラーフィルタＣＦ１乃至ＣＦ３の色の組み合わせは上記の例に限定されない。
【００６１】
メインスペーサＭＳＰであるスペーサＳＰ３と重なる遮光部Ｂ３は、隣接する開口部ＯＰ３１乃至ＯＰ３４の色にかかわらず、いずれも大きな面積の部分Ｂ３１乃至Ｂ３４を備えている。サブスペーサＳＳＰであるスペーサＳＰ２と重なる遮光部Ｂ２は、隣接する開口部ＯＰ２１乃至ＯＰ２４の色にかかわらず、いずれも部分Ｂ３１などよりも小さい面積の部分Ｂ２１乃至Ｂ２４を備えている。サブスペーサＳＳＰであるスペーサＳＰ６と重なる遮光部Ｂ６は、特定の色、ここでは緑色の開口部ＯＰ６２と隣接する部分Ｂ６２のみが他の部分Ｂ６１などよりも拡大されている。
【００６２】
すなわち、上記の通り、赤色の開口部及び青色の開口部について表示ムラが視認されない望ましいピッチＰｓＲ及びピッチＰｓＢは同等であり、緑色の開口部について表示ムラが視認されない望ましいピッチＰｓＧは、ピッチＰｓＲ及びピッチＰｓＢよりも小さい。図１３及び図１４に示したような配置例では、スペーサＳＰが配置される遮光部は、赤色、緑色、及び、青色のそれぞれの開口部に隣接する。このため、遮光部Ｂ２及びＢ３に加えて、遮光部Ｂ６を備えたことにより、いずれの色の開口部についても、望ましいピッチを実現することができ、表示ムラを抑制することができる。また、各色の開口部について、望ましいピッチのうちの最大ピッチで上記の遮光部を配置することにより、各色の開口部の面積が減少せず、各色の輝度あるいは透過率の低下を抑制することができる。
【００６３】
図１５は、他の遮光部を拡大した平面図である。  
遮光部Ｂ７は、開口部ＯＰ７１乃至ＯＰ７４に隣接している。開口部ＯＰ７１及びＯＰ７４は、略同一の形状であり、略同一の面積を有している。開口部ＯＰ７２及びＯＰ７３は、略同一の形状であり、略同一の面積を有している。但し、開口部ＯＰ７１の面積は、開口部ＯＰ７２の面積より小さい。一例では、開口部ＯＰ７１及びＯＰ７４はカラーフィルタＣＦ２を備えた緑色画素に相当し、開口部ＯＰ７２はカラーフィルタＣＦ３を備えた青色画素に相当し、開口部ＯＰ７３はカラーフィルタＣＦ１を備えた赤色画素に相当する。  
遮光部Ｂ７は、部分Ｂ７１乃至Ｂ７４を備えている。部分Ｂ７１は開口部ＯＰ７１に隣接し、部分Ｂ７２は開口部ＯＰ７２に隣接し、部分Ｂ７３は開口部ＯＰ７３に隣接し、部分Ｂ７４は開口部ＯＰ７４に隣接している。部分Ｂ７１及びＢ７４は、同等の面積を有している。部分Ｂ７２及びＢ７３は、同等の面積を有している。部分Ｂ７１の面積は、部分Ｂ７２の面積より大きい。部分Ｂ７１乃至Ｂ７４は、扇形状に形成されている。  
遮光部に隣接する４つの開口部のうち、斜め方向に隣接する２つの開口部が緑色画素である場合には、遮光部Ｂ７が適用されることにより、緑色の開口部について所望のピッチＰｓＧを実現することができる。したがって、上記の配置例と同様の効果が得られる。
【００６４】
以上説明したように、本実施形態によれば、表示品位の劣化を抑制することが可能な表示装置を提供することができる。
【００６５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６６】
ＤＳＰ…表示装置  ＰＮＬ…表示パネル
ＢＭ…遮光層  ＢＭＹ…部分  ＢＭＸ…部分  Ｂ１乃至Ｂ７…遮光部
ＯＰ…開口部
ＣＦ…カラーフィルタ
ＳＰ…スペーサ  ＭＳＰ…メインスペーサ  ＳＳＰ…サブスペーサ
【図１】
2018180087.tif 000003
【図２】
2018180087.tif 000004
【図３】
2018180087.tif 000005
【図４】
2018180087.tif 000006
【図５】
2018180087.tif 000007
【図６Ａ】
2018180087.tif 000008
【図６Ｂ】
2018180087.tif 000009
【図７】
2018180087.tif 000010
【図８】
2018180087.tif 000011
【図９】
2018180087.tif 000012
【図１０】
2018180087.tif 000013
【図１１】
2018180087.tif 000014
【図１２】
2018180087.tif 000015
【図１３】
2018180087.tif 000016
【図１４】
2018180087.tif 000017
【図１５】
2018180087.tif 000018